(57)【要約】【課題】患者の医療情報の管理業務の効率化を支援することが可能な医療情報管理システム及び医療情報管理プログラムを提供する。【解決手段】医療情報管理システムは、予め設定される抽出条件に基づいて患者を抽出する抽出処理を実行する抽出処理部と、前記抽出条件に基づいて実行された前記抽出処理の所要時間を当該抽出条件に対応付けて記憶部に記憶させる記憶処理部と、前記記憶部に記憶されている前記所要時間と当該所要時間に対応付けられた前記抽出条件の一部又は全部が共通する抽出処理の実行要求操作を受け付け可能な操作受付部とを表示可能な表示処理部と、を備える。【選択図】図１
2019121050.tif 000002
【特許請求の範囲】
【請求項１】
予め設定される抽出条件に基づいて患者を抽出する抽出処理を実行する抽出処理部と、
前記抽出条件に基づいて実行された前記抽出処理の処理時間を当該抽出条件に対応付けて記憶部に記憶させる記憶処理部と、
前記記憶部に記憶されている前記処理時間と当該処理時間に対応付けられた前記抽出条件の一部又は全部が共通する抽出処理の実行要求操作を受け付け可能な操作受付部とを表示可能な表示処理部と、
を備える医療情報管理システム。
【請求項２】
前記抽出処理部は、予め設定された間隔で、予め設定された定期抽出条件に基づいて前記患者を定期的に抽出する第１抽出処理と、任意のタイミングで、入力される任意抽出条件又は前記定期抽出条件に基づいて前記患者を抽出する第２抽出処理とを実行可能である、
請求項１に記載の医療情報管理システム。
【請求項３】
前記表示処理部は、前記操作受付部を含む抽出開始画面の表示要求操作を受け付けた場合に、前記抽出処理が実行されるときの前記抽出条件のうち少なくとも予め設定された項目が入力された状態で前記抽出開始画面を表示させる、
請求項１又は２に記載の医療情報管理システム。
【請求項４】
前記抽出条件には、患者に処方された処方薬品及び前記抽出処理の対象となる抽出対象期間が含まれ、
前記表示処理部は、前記抽出対象期間の変更操作を受け付け可能な変更操作部を表示可能である、
請求項１〜３のいずれかに記載の医療情報管理システム。
【請求項５】
前記抽出処理で抽出された患者について行われた検査の検査値が予め設定された範囲内であるか否か、及び予め設定された判定期間に予め設定された検査項目の検査が当該患者について実施されているか否かを判定する第１判定処理部と、
前記抽出処理部による抽出結果と前記第１判定処理部による判定結果とを提示する提示処理部と、
を備える請求項１〜４のいずれかに記載の医療情報管理システム。
【請求項６】
前記抽出処理で抽出された患者について予め登録された有害事象の内容が予め設定された有害事象条件を満たすか否かを判定する第２判定処理部と、
前記抽出処理部による抽出結果と前記第２判定処理部による判定結果とを提示する提示処理部と、
を備える請求項１〜５のいずれかに記載の医療情報管理システム。
【請求項７】
予め設定される抽出条件に基づいて患者を抽出する抽出処理を実行する抽出ステップと、
前記抽出条件に基づいて実行された前記抽出処理の処理時間を当該抽出条件に対応付けて記憶部に記憶させる記憶ステップと、
前記記憶部に記憶されている前記処理時間と当該処理時間に対応付けられた前記抽出条件の一部又は全部が共通する抽出処理の実行要求操作を受け付け可能な操作受付部とを表示可能な表示ステップと、
をコンピューターに実行させるための医療情報管理プログラム。
【発明の詳細な説明】
【技術分野】
【０００１】
本発明は、患者の医療情報の管理を支援する医療情報管理システム及び医療情報管理プログラムに関する。
【背景技術】
【０００２】
病院又は薬局などの医療機関では、患者の処方情報又は検査情報などの医療情報を管理する医療情報管理システムが用いられることがある（例えば、特許文献１参照）。なお、この種の医療情報管理システムでは、予め設定された特定の条件で患者を抽出する抽出処理が、診療時間中のような業務時間を避けた夜間などの予め設定されたタイミングで自動的に実行可能であることが考えられる。例えば、前記特定の条件には、特定の薬品を服用していること等が含まれる。
【先行技術文献】
【特許文献】
【０００３】
【特許文献１】特開２０１４−１９１４１５号公報
【発明の概要】
【発明が解決しようとする課題】
【０００４】
ところで、前記抽出処理が前記業務時間内に臨時で実行されることも考えられる。但し、例えば繁忙時に前記抽出処理が実行されると、当該抽出処理が医療情報管理システムの処理負荷となり、業務で医療情報管理システムを利用する際の処理速度に影響するおそれがある。そのため、前記抽出処理が実行されている間は前記医療情報管理システムを他の目的で使用することができず、患者の医療情報の管理業務の効率化が阻害されることが考えられる。
【０００５】
本発明の目的は、患者の医療情報の管理業務の効率化を支援することが可能な医療情報管理システム及び医療情報管理プログラムを提供することにある。
【課題を解決するための手段】
【０００６】
本発明に係る医療情報管理システムは、予め設定される抽出条件に基づいて患者を抽出する抽出処理を実行する抽出処理部と、前記抽出条件に基づいて実行された前記抽出処理の処理時間を当該抽出条件に対応付けて記憶部に記憶させる記憶処理部と、前記記憶部に記憶されている前記処理時間と当該処理時間に対応付けられた前記抽出条件の一部又は全部が共通する抽出処理の実行要求操作を受け付け可能な操作受付部とを表示可能な表示処理部と、を備える。
【０００７】
本発明に係る医療情報管理プログラムは、予め設定される抽出条件に基づいて患者を抽出する抽出処理を実行する抽出ステップと、前記抽出条件に基づいて実行された前記抽出処理の処理時間を当該抽出条件に対応付けて記憶部に記憶させる記憶ステップと、前記記憶部に記憶されている前記処理時間と当該処理時間に対応付けられた前記抽出条件の一部又は全部が共通する抽出処理の実行要求操作を受け付け可能な操作受付部とを表示可能な表示ステップと、をコンピューターに実行させるための医療情報管理プログラムである。
【発明の効果】
【０００８】
本発明によれば、患者の医療情報の管理業務の効率化を支援することが可能な医療情報管理システム及び医療情報管理プログラムが提供される。
【図面の簡単な説明】
【０００９】
【図１】図１は、本発明の実施形態に係る医療情報管理システムの構成を示すブロック図である。
【図２】図２は、本発明の実施形態に係る医療情報管理システムで使用される有害事象マスターの一例を示す図である。
【図３】図３は、本発明の実施形態に係る医療情報管理システムで使用される検査期間マスターの一例を示す図である。
【図４】図４は、本発明の実施形態に係る医療情報管理システムで使用される薬歴データの一例を示す図である。
【図５】図５は、本発明の実施形態に係る医療情報管理システムで使用されるレジメン履歴データの一例を示す図である。
【図６】図６は、本発明の実施形態に係る医療情報管理システムで使用される検査データの一例を示す図である。
【図７】図７は、本発明の実施形態に係る医療情報管理システムで使用される有害事象データの一例を示す図である。
【図８】図８は、本発明の実施形態に係る医療情報管理システムで実行される医療情報管理処理の一例を示すフローチャートである。
【図９】図９は、本発明の実施形態に係る医療情報管理システムで表示される表示画面の一例を示す図である。
【図１０】図１０は、本発明の実施形態に係る医療情報管理システムで表示される表示画面の一例を示す図である。
【図１１】図１１は、本発明の実施形態に係る医療情報管理システムで表示される表示画面の一例を示す図である。
【図１２】図１２は、本発明の実施形態に係る医療情報管理システムで表示される表示画面の一例を示す図である。
【図１３】図１３は、本発明の実施形態に係る医療情報管理システムで表示される表示画面の一例を示す図である。
【図１４】図１４は、本発明の実施形態に係る医療情報管理システムで実行される定期抽出処理の一例を示すフローチャートである。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定する性格のものではない。
【００１１】
［医療情報管理システム１０］
図１に示すように、本発明の実施形態に係る医療情報管理システム１０は、サーバー１、クライアント端末２、及びプリンター３などを備える。前記サーバー１、前記クライア
ント端末２、及びプリンター３は、通信網４を介して無線又は有線で通信可能に接続される。前記通信網４は、ＬＡＮ、ＷＡＮ、インターネット、又はイントラネットなどを含む。また、前記サーバー１には、前記通信網４を介して上位システム５が接続される。
【００１２】
前記上位システム５は、例えば電子カルテシステム、オーダーリングシステム、又はレセプトシステムなどである。そして、前記上位システム５は、患者に対する薬品の処方に関する処方データ、患者について行われた各種の検査の検査結果に関する検査データ、及び患者の個人情報を示す患者データなどを前記サーバー１に入力する。なお、前記サーバー１が前記上位システム５から前記処方データ、前記検査データ、及び前記患者データなどを能動的に読み出す構成であってもよい。なお、前記処方データには、予め設定された療法（レジメン）に従って抗がん剤などの薬品が投与される調製データも含まれる。
【００１３】
例えば、前記処方データには、患者情報（患者ＩＤ、患者氏名、身長、体重、体表面積など）、処方日、調製日、投与日、薬品情報（薬品コード、薬品名など）、用量・用法、療法情報などが含まれる。前記療法情報は、例えば療法名（レジメン名）、療法ＩＤ、又は療法ＩＤなどの療法情報を識別可能な療法識別情報を含む。また、前記処方データには、医師情報、薬品容器の種類（薬液入りアンプル、薬液入りバイアル瓶、粉薬入りバイアル瓶、又は輸液バッグなど）、調製内容情報（混注作業に使用する薬品容器、注射器、注射針の種類及び本数等）、及び調製手順情報（作業内容、溶解薬、溶媒、溶解薬量、溶媒量、抜取量）、投薬日、処方箋区分、診療科、病棟などの情報が含まれていてもよい。
【００１４】
［プリンター３］
前記プリンター３は、前記サーバー１又は前記クライアント端末２から前記通信網４を介して入力される印刷データに含まれる情報を紙などのシートに記録する印刷処理を実行可能なカラープリンター又はモノクロプリンターなどの画像形成装置である。例えば、病院又は薬局等の医療機関では、前記プリンター３によって前記処方データに基づく処方箋が印刷されることがある。また、前記プリンター３は、後述の抽出処理による抽出結果が印刷されるために用いられてもよい。
【００１５】
［サーバー１］
前記サーバー１は、制御部１１、記憶部１２、通信Ｉ／Ｆ１３、表示装置１４、操作装置１５、及びドライブ装置１６などを備えるコンピューターである。なお、前記サーバー１は、前記医療情報管理システム１０が使用される病院又は薬局等の医療機関の外部に設けられてもよい。また、前記サーバー１は、スマートフォン、タブレット端末、又はラップトップコンピューターなどの情報処理装置であってもよい。
【００１６】
前記制御部１１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＣＰＵを用いて、前記ＲＯＭ、前記ＥＥＰＲＯＭ、又は前記記憶部１２に予め記憶された各種の制御プログラムに従って各種の処理を実行する。
【００１７】
前記記憶部１２は、前記制御部１１によって実行される各種の制御プログラム及び各種のデータが記憶されるハードディスク又はＳＳＤ等の不揮発性の記憶部である。また、前記記憶部１２には、プログラム記憶部１２１、マスター記憶部１２２、及び情報記憶部１２３が含まれる。
【００１８】
前記プログラム記憶部１２１は、後述の医療情報管理処理（図８参照）を前記制御部１１に実行させるための医療情報管理プログラムなどが記憶される記憶領域である。なお、前記プログラム記憶部１２１には、オペレーティングシステム（ＯＳ）などのプログラムも記憶される。
【００１９】
前記マスター記憶部１２２は、薬品マスター、患者マスター、診療科マスター、薬剤師マスター、レジメンマスター、有害事象マスターＤ１、検査期間マスターＤ２、及びスクリーニングマスターなどの各種のマスター情報が記憶される記憶領域である。
【００２０】
例えば、前記薬品マスターには、各種の薬品について、薬品コード（ＹＪコード等）、薬品名、ＪＡＮコード、ＲＳＳコード、薬瓶コード、剤形、単位、比重、薬品種、配合変化、賦形薬品、注意事項、添付文書情報などの情報が含まれる。また、前記添付文書情報には、薬品を服用する患者について実施されるべき検査の既定検査項目及び既定検査条件なども含まれる。具体的に、前記既定検査条件は、前記既定検査項目の検査が実施されるべき検査時期の範囲を示す判定期間又は前記判定期間を特定するための検査間隔である。特に、前記既定検査条件は、患者の年齢、性別、及び初回服用日からの経過日数のいずれか一つ又は複数の組み合わせごとに個別に定められている。なお、例えば患者の妊娠の有無などの他の指標に応じて前記既定検査項目各々の検査要否及び前記検査条件などが定められていてもよい。
【００２１】
前記患者マスターには、各患者について、例えば患者名、患者ＩＤ、性別、年齢、飲酒有無、喫煙有無、及び病名などの情報が含まれる。前記診療科マスターには、前記医療情報管理システム１０が使用される医療機関の各種の診療科の情報が含まれる。前記薬剤師マスターには、前記医療情報管理システム１０が使用される医療機関に所属する薬剤師の情報が含まれる。
【００２２】
前記レジメンマスターには、予め定められている各種のレジメンの内容を示す療法情報が含まれる。具体的に、前記療法情報には、療法に基づいて投与される薬品名、投与量（体表面積当り）、投与時間、投与日、及び１クールの長さなどの投与計画に関する情報が含まれる。また、前記上位システム５における前記処方データの生成時には、前記療法に対応する薬品などの情報と共に、前記療法情報を識別するための療法名などの療法識別情報が前記処方データに付与される。
【００２３】
前記有害事象マスターＤ１は、患者に発生する有害事象の種別と当該有害事象各々のグレードの基準とが対応付けられた情報である。ここに、図２は、前記有害事象マスターＤ１の一例を示す図である。なお、前記有害事象マスターＤ１のデータ構造はここで説明するものに限らない。例えば、前記有害事象マスターＤ１が複数のマスターに分割して関連付けられた状態で前記マスター記憶部１２２に記憶されていてもよい。
【００２４】
図２に示されるように、前記有害事象マスターＤ１では、事象ＩＤ、事象名称、検査ＩＤ、グレード条件、数値フラグ、変更可否フラグ、関連事象、症状種別などの情報が対応付けて記憶されている。前記事象ＩＤは、予め設定された有害事象を識別するための識別情報であり、前記事象名称は、当該有害事象各々の名称を示す情報である。前記検査ＩＤは、対応する前記有害事象のグレードを判定するために用いられる検査項目を識別するための識別情報である。前記症状種別は、前記有害事象が他覚症状であるか自覚症状であるかを示す情報である。ここで、前記自覚症状は、患者が自ら発見することのできる症状であり、前記他覚症状は、患者について行われた検査の結果に応じて発見することのできる客観的な症状である。
【００２５】
前記グレード条件は、予め定められている特定の規準に従って前記有害事象のグレードを分類するための分類指標である。具体的に、本実施形態において、前記特定の規準は、前記有害事象のグレードの分類指標が定められた有害事象共通用語規準（ＣＴＣＡＥ：Ｃｏｍｍｏｎ  Ｔｅｒｍｉｎｏｌｏｇｙ  Ｃｒｉｔｅｒｉａ  ｆｏｒ  Ａｄｖｅｒｓｅ  Ｅｖｅｎｔｓ）である。なお、前記有害事象マスターＤ１に登録される規準は前記有害事象共通用語規準で定められた原文に限らず、例えば前記制御部１１が前記有害事象共通用語規準に基づいてグレードを判定可能な態様に編集された後の規準であってもよい。
【００２６】
本実施形態において、前記有害事象のグレードの種別は「０」〜「４」の５段階で定められており、数値が高いほど症状が重いことを示す情報である。なお、前記ＣＴＣＡＥではグレード「５」についても規定されているが、グレード「５」については必要性が低いため、本実施形態に係る前記医療情報管理システム１０では、グレード「５」は使用しないこととする。
【００２７】
そして、前記グレード条件では、前記グレード各々を数値で判定する場合の指標として用いられる数値の範囲が登録可能である。例えば、前記制御部１１は、前記ＣＴＣＡＥに示された規準から前記グレード各々に対応する範囲を自動的に抽出して登録することが考えられる。さらに、前記制御部１１は、ユーザー操作に応じて、前記有害事象マスターＤ１に前記グレード各々に対応する範囲を登録可能であってもよい。前記変更可否フラグは、前記制御部１１によって自動的に前記グレードが設定された場合に当該グレードをユーザー操作に応じて任意に変更可能であるか否かを示す情報である。なお、前記制御部１１は、前記数値フラグが「０」である場合には、各グレードに対応する前記変更可否フラグを全て「１（可）」に設定する。
【００２８】
また、前記数値フラグは、前記有害事象のグレードの少なくとも一部が検査値又は任意に入力される状態値のような数値に応じて判定可能であるか否かを示す情報である。例えば、前記制御部１１は、前記グレード条件における範囲の情報として数値が入力された場合に前記数値フラグを「１（可）」に設定する。また、前記制御部１１は、ユーザー操作に応じて前記数値フラグを設定可能である。前記関連事象は、前記有害事象が表示される際に当該有害事象に並べて又は当該有害事象の近くに表示されるべき情報として予め登録された一又は複数の有害事象を識別するための一又は複数の事象ＩＤを含む情報である。
【００２９】
例えば、前記有害事象マスターＤ１において、前記有害事象のうち他覚症状である「血小板数減少」については、前記検査ＩＤが「０１２３４５５」である検査の検査値に応じて患者の当該有害事象についてのグレードを分類することが可能であり、前記グレード条件では、各グレードに対応する前記検査値の範囲が分類指標として定められている。具体的に、グレード「０」は、「検査値≧１５８，０００」、グレード「１」は、「１５８，０００＞検査値≧７５，０００」、グレード「２」は、「７５，０００＞検査値≧５０，０００」、グレード「３」は、「５０，０００＞検査値≧２５，０００」、グレード「４」は、「２５，０００＞検査値」である。なお、前記制御部１１は、前記有害事象マスターＤ１において各グレードのグレード条件として設定される検査値の範囲をユーザー操作に応じて任意に変更することも可能である。また、各グレードに対応する前記検査値の範囲は、例えば患者の性別ごとに予め設定されており、前記制御部１１は、患者の性別に応じて前記グレードの判定に用いる前記検査値の範囲を変更することも可能である。
【００３０】
また、前記有害事象マスターＤ１において、前記有害事象のうち自覚症状である「発熱」については、患者の発熱についての状態を示す状態値（例えば体温）に応じて患者の当該有害事象についてのグレードを分類することが可能であり、前記グレード条件では、各グレードに対応する体温が分類指標として定められている。一方、前記有害事象マスターＤ１において、前記有害事象のうち同様の自覚症状である「手足のしびれ」については、数値に応じて患者の当該有害事象についてのグレードを分類することができず、前記グレード条件では、各グレードに対応する手足のしびれについての症状の軽重が分類指標として定められている。
【００３１】
ここに、図３は、前記検査期間マスターＤ２の一例を示す図である。図３に示されるように、前記検査期間マスターＤ２には、或る薬品を服用する患者について実施すべき検査項目の検査時期を特定するための情報が含まれる。図３に示されるように、前記検査期間マスターＤ２では、薬品コード、定期的検査の有無、既定検査コード、実施検査コード、開始年齢、終了年齢、性別限定、投与前フラグ、投与後フラグ、開始実施期間、終了実施期間、及び検査間隔が対応付けて登録されている。
【００３２】
前記検査期間マスターＤ２における定期的検査の有無は、前記薬品マスターの前記定期的検査の必要度に応じて予め設定され、又はユーザー操作によって任意に設定される。例えば、薬品マスターの前記定期的検査の必要度が「１：必要」又は「０：推奨」である場合に、前記検査期間マスターＤ２における前記定期的検査の有無が「１：有り」に設定される。また、薬品マスターの前記定期的検査の必要度の情報が空白である場合は、前記検査期間マスターＤ２における前記定期的検査の有無が「０：無し」に設定される。なお、薬品マスターの前記定期的検査の必要度が「０：推奨」である場合に、前記検査期間マスターＤ２における前記定期的検査の有無が「０：無し」に設定されることも考えられる。
【００３３】
前記制御部１１は、前記定期的検査の有無の設定が「１：有り」である薬品を定期的検査チェック処理の対象とし、前記定期的検査の有無の設定が「０：無し」である薬品を定期的検査チェック処理の対象から除外すると判断する。
【００３４】
前記既定検査コード及び前記実施検査コードは、前記薬品コードに対応する薬品を服用する患者について実施されるべき検査の検査項目を示す情報であり、前記既定検査コードは、前記上位システム５で用いられるコードであり、前記実施検査コードは、前記医療情報管理システム１０で用いられるコードである。なお、本実施形態では、前記既定検査コード及び前記実施検査コードが個別に設定されている場合を例に挙げて説明するが、前記上位システム５及び前記医療情報管理システム１０において共通の検査コードが使用されることも他の実施形態として考えられる。
【００３５】
前記開始年齢及び前記終了年齢は、前記検査期間マスターＤ２の各レコードを適用する患者の年齢の範囲を示す情報である。前記性別限定は、前記検査期間マスターＤ２の各レコードを適用する患者の性別を示す情報である。前記投与前フラグ及び前記投与後フラグは、前記検査期間マスターＤ２の各レコードが、薬品の服用前及び服用後のいずれの時期の検査に適用される情報であるかを示すフラグである。
【００３６】
前記開始実施期間及び前記終了実施期間は、前記検査期間マスターＤ２の各レコードが適用される服用時期の範囲を示す情報であり、患者による薬品の初回服用日を基準とする期間を示す情報である。前記初回服用日は、現在よりも前に前記患者が前記薬品を服用していない場合には、前記処方データに含まれる服用開始日である。また、現在よりも前に前記患者が前記薬品を服用している場合であっても、前記患者が前記薬品を最後に服用した日が現在から予め設定された特定期間以上前である場合は、前記処方データに含まれる服用開始日が前記初回服用日である。
【００３７】
具体的に、前記投与前フラグが「１」である場合は、前記開始実施期間が、前記検査期間マスターＤ２の各レコードが適用される服用時期の範囲の終期を示し、前記終了実施期間が、前記検査期間マスターＤ２の各レコードが適用される服用時期の範囲の始期を示す。また、前記投与後フラグが「１」である場合は、前記開始実施期間が、前記検査期間マスターＤ２の各レコードが適用される服用時期の範囲の始期を示し、前記終了実施期間が、前記検査期間マスターＤ２の各レコードが適用される服用時期の範囲の終期を示す。
【００３８】
前記検査間隔は、前記検査期間マスターＤ２の各レコードの前記既定検査コード及び前記実施検査コードが示す検査項目に対応して予め設定された情報であり、例えば前記検査項目の検査の実施が必要な間隔を示す情報である。特に、前記検査間隔は、患者の年齢、患者の性別、及び薬品の初回服用日からの経過期間のいずれか一つ又は複数の組み合わせごとに設定されている。
【００３９】
例えば、図３に示される前記検査期間マスターＤ２のレコードＲ２１１では、薬品コードが「０００１」の薬品について、定期的検査の有無が「１」であって、既定検査コードが「０１」、実施検査コードが「０１７２」の検査項目の定期的検査が必要である旨が示されている。また、前記レコードＲ２１１では、患者の適用年齢が「０」歳〜「１５」歳であり、患者の適用性別が「両方」であることが示されている。さらに、前記レコードＲ２１１では、投与後フラグが「１」であって、開始実施期間が「０」日、終了実施期間が「３０」日であり、薬品の初回服用日の「０」日後〜「３０」日後である場合に適用される旨が示されている。そして、前記レコードＲ２１１では、前記検査間隔が「１５」日である旨が定められている。
【００４０】
また、図３に示される前記検査期間マスターＤ２のレコードＲ２１２では、薬品コードが「０００１」の薬品について、定期的検査の有無が「１」であって、既定検査コードが「０２」、実施検査コードが「０１７３」の検査項目の定期的検査が必要である旨が示されている。また、前記レコードＲ２１２では、患者の適用年齢が「０」歳以上であり、患者の適用性別が「男性」であることが示されている。さらに、前記レコードＲ２１２では、投与前フラグが「１」であって、開始実施期間が「３０」日、終了実施期間が「０」日であり、薬品の初回服用日の「０」日前〜「３０」日前について適用される旨が示されている。そして、前記レコードＲ２１２では、前記検査項目の検査が実施されるべき検査間隔が「１５」日である旨が定められている。なお、前記投与前フラグが「１」である場合であって、前記開始実施期間及び前記終了実施期間の間に１回の検査が行われていればよい場合には、前記検査間隔の設定が省略されてもよい。
【００４１】
前記スクリーニングマスターには、定期的に自動実行される定期スクリーニングにおける抽出条件を示す定期スクリーニング情報と、任意の時期に実行される随時スクリーニングにおける抽出条件を示す随時スクリーニング情報とが含まれる。前記定期スクリーニング情報には、後述するように、スクリーニング名称、起動設定、抽出対象期間（実行日基準）、対象日付などの情報が含まれる（図９参照）。前記随時スクリーニング情報には、後述するように、スクリーニング名称、抽出対象期間、対象日付などの情報が含まれる（図１０参照）。
【００４２】
なお、前記制御部１１は、前記マスター記憶部に記憶されている各種のマスター情報を、前記上位システム５から取得する情報に基づいて随時更新可能である。また、前記制御部１１は、前記サーバー１又は前記クライアント端末２を用いたユーザー操作に応じて各種のマスター情報を編集することも可能である。
【００４３】
前記情報記憶部１２３は、前記処方データ、薬歴データＤ１１、レジメン履歴データＤ１２、検査データＤ１３、有害事象データＤ１４などの患者の医療情報が記憶される記憶領域である。前記制御部１１は、前記処方データを前記上位システム５から取得して前記情報記憶部１２３に蓄積して記憶させる。また、前記情報記憶部１２３には、後述の処理時間情報なども記憶される。
【００４４】
前記薬歴データＤ１１は、患者各々の薬品の処方履歴を示す情報であり、前記レジメン履歴データＤ１２は、患者各々の療法に従った薬品の投薬履歴を示す情報である。前記制御部１１は、例えば前記処方データに基づいて前記薬歴データＤ１１及び前記レジメン履歴データＤ１２を更新する。ここに、図４は、前記薬歴データＤ１１の一例を示す図であり、図５は、前記レジメン履歴データＤ１２の一例を示す図である。
【００４５】
図４に示す前記薬歴データＤ１１は、患者ＩＤ（患者の識別情報）、患者氏名（患者の識別情報）、処方日、薬品名（薬品の識別情報）、病棟、用法・用量、診療科、担当医などの情報を含む。また、前記制御部１１は、前記サーバー１又は前記クライアント端末２のユーザー操作に応じて任意に前記薬歴データＤ１１を更新することが可能であってもよい。
【００４６】
図５に示す前記レジメン履歴データＤ１２は、患者ＩＤ（患者の識別情報）、患者氏名（患者の識別情報）、投与日、療法名（療法の識別情報）、病棟、クール情報、計画診療科、計画医などの情報を含む。また、前記制御部１１は、前記サーバー１又は前記クライアント端末２のユーザー操作に応じて任意に前記レジメン履歴データＤ１２を更新することが可能であってもよい。
【００４７】
前記検査データＤ１３は、患者各々について実施された各検査項目についての検査値などの検査結果を含む情報である。ここに、図６は、前記検査データＤ１３の一例を示す図である。図６に示す前記検査データＤ１３は、患者ＩＤ（患者の識別情報）、患者氏名（患者の識別情報）、検査日、検査ＩＤ（検査の識別情報）、検査項目（検査の識別情報）、検査結果などの情報を含む。前記制御部１１は、前記上位システム５から取得する患者の検査データ、或いは、前記サーバー１又は前記クライアント端末２に挿入されるＵＳＢメモリ又はＣＤなどの記録媒体から読み取られる患者の検査データに基づいて前記検査データＤ１３を更新する。
【００４８】
前記有害事象データＤ１４は、患者各々についての自覚症状及び他覚症状などの有害事象のデータを示す情報である。ここに、図７は、前記有害事象データＤ１４の一例を示す図である。図７に示す前記有害事象データＤ１４は、患者ＩＤ（患者の識別情報）、患者氏名（患者の識別情報）、日付、有害事象ＩＤ（有害事象の識別情報）、事象名称（有害事象の識別情報）、グレードなどの情報を含む。前記制御部１１は、前記上位システム５から取得する患者の検査データ、或いは、前記サーバー１又は前記クライアント端末２に対して任意に入力される患者の自覚症状の情報などに基づいて前記有害事象データＤ１４を更新する。
【００４９】
前記通信Ｉ／Ｆ１３は、前記通信網４を介して前記クライアント端末２、及び前記プリンター３などの外部機器との間で、予め定められた通信プロトコルに従って無線又は有線でデータ通信を実行するネットワークカード等を有する通信インターフェースである。
【００５０】
前記表示装置１４は、前記制御部１１からの制御指示に従って各種の情報を表示する液晶ディスプレイ又は有機ＥＬディスプレイなどの表示部である。前記操作装置１５は、前記サーバー１に各種の情報を入力するためにユーザーによって操作される操作部である。具体的に、前記操作装置１５は、前記表示装置１４に表示される各種の操作画面における入力操作を受け付けるキーボード及びマウス（ポインティングデバイス）を含む。また、前記操作装置１５は、前記表示装置１４に表示される各種の操作画面に対するタッチ操作を受け付けるタッチパネル、又は音声認識により各種情報の入力を受け付ける音声入力装置を含むものであってもよい。
【００５１】
前記ドライブ装置１６は、前記医療情報管理プログラムが非一時的に記録されたコンピューター読み取り可能な記録媒体１６１から前記医療情報管理プログラムを読み取ることが可能である。前記記録媒体１６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。そして、前記サーバー１では、前記制御部１１により、前記ドライブ装置１６を用いて前記記録媒体１６１から読み取られた前記医療情報管理プログラムが前記記憶部１２の前記プログラム記憶部１２１にインストールされる。
【００５２】
ところで、前記医療情報管理システム１０では、予め設定された特定の条件で患者を抽出する抽出処理が、診療時間中のような業務時間を避けた夜間などの予め設定されたタイミングで自動的に実行可能であることが考えられる。例えば、前記特定の条件には、特定の薬品を服用していること等が含まれる。ここで、前記抽出処理が前記業務時間内に臨時で実行されることも考えられる。但し、例えば繁忙時に前記抽出処理が実行されると、当該抽出処理が前記医療情報管理システム１０の処理負荷となり、業務で前記医療情報管理システム１０を利用する際の処理速度に影響するおそれがある。そのため、前記抽出処理が実行されている間は前記医療情報管理システム１０を他の目的で使用することができず、患者の医療情報の管理業務の効率化が阻害されることが考えられる。また、患者について実施された検査の検査値が予め設定された範囲内であるか否かを患者の医療情報として表示可能なシステムが用いられることがある。しかしながら、検査値が予め設定された範囲内であるか否かの情報と、必要な検査項目の検査が適正な時期に実施されているか否かの情報とを同時に把握することが難しく、患者の医療情報の管理業務の効率化が十分に図られていなかった。これに対し、前記医療情報管理システム１０では、患者の医療情報の管理業務の効率化を支援することが可能である。
【００５３】
具体的に、前記サーバー１の前記制御部１１は、抽出処理部１１１、記憶処理部１１２、表示処理部１１３、第１判定処理部１１４、第２判定処理部１１５、提示処理部１１６などを含む。前記制御部１１は、前記医療情報管理プログラムに従って後述の医療情報管理処理（図８参照）及び定期抽出処理（図１４参照）などの各種の処を実行することにより各種の処理部として機能する。即ち、本実施形態では、前記サーバー１単体が本発明に係る医療情報管理システムである。また、前記サーバー１が、ユーザーによって操作される前記クライアント端末２を兼ねるスタンドアローン型の医療情報管理システムを構成するものであってもよい。なお、前記制御部１１に含まれる一部又は全部の処理部が電子回路で構成されていてもよい。
【００５４】
また、前記サーバー１の機能の一部又は全部が前記クライアント端末２に設けられることも他の実施形態として考えられる。例えば、前記クライアント端末２に、前記医療情報管理プログラムの一部又は全部がインストールされており、前記クライアント端末２の前記制御部２１が、前記サーバー１から必要な情報を適宜取得して、後述の医療情報管理処理（図８参照）又は定期抽出処理（図１４参照）などを実行することも考えられる。この場合、前記クライアント端末２が本発明に係る医療情報管理システムの一例である。さらに、前記医療情報管理システム１０において、前記サーバー１及び前記クライアント端末２が協働して後述の医療情報管理処理（図８参照）及び定期抽出処理（図１４参照）を実行することも考えられる。
【００５５】
前記抽出処理部１１１は、予め設定される抽出条件に基づいて患者を抽出する抽出処理を実行する。具体的に、前記抽出処理部１１１は、予め設定された間隔で定期的に、予め設定された定期抽出条件に基づいて患者を抽出する定期スクリーニング（第１抽出処理の一例）と、ユーザー操作に応じて任意のタイミングで任意に入力される任意抽出条件に基づいて患者を抽出する随時スクリーニング（第２抽出処理の一例）とを実行可能である。
【００５６】
前記記憶処理部１１２は、前記抽出条件に基づいて実行された前記抽出処理の実行に要した処理時間（所要時間）を当該抽出条件に対応付けて処理時間情報として前記情報記憶部１２３に記憶させる。具体的に、前記処理時間情報には、前記抽出条件に基づいて実行された前記抽出処理について、当該抽出条件、前記抽出処理の実行日時、前記処理時間などの情報が含まれる。
【００５７】
前記表示処理部１１３は、前記情報記憶部１２３に記憶されている前記処理時間と、当該処理時間に対応付けられた前記抽出条件の一部又は全部が共通する抽出処理の実行要求操作を受け付け可能な操作受付部と、を表示可能である。具体的に、前記表示処理部１１３は、前記処理時間及び前記操作受付部をクライアント端末２に表示させる。本実施形態では、前記操作受付部の一例として後述の操作部Ｋ１２１（図９、図１０参照）が表示される。
【００５８】
前記第１判定処理部１１４は、前記検査データＤ１３に基づいて、前記抽出処理で抽出された患者について行われた検査の検査値が予め設定された範囲内であるか否かを判定する。なお、前記範囲は、検査の種類ごとに予め設定される。また、前記第１判定処理部１１４は、前記抽出処理で抽出された患者について、予め設定された検査項目の検査が予め設定された判定期間内に実施されているか否かを判定する。具体的に、前記第１判定処理部１１４は、前記検査データＤ１３と前記検査期間マスターＤ２とに基づいて、前記患者が服用する薬品に対応付けて予め設定された判定期間に当該薬品に対応付けて予め設定された検査項目の検査が当該患者について実施されているか否かを判定する。
【００５９】
なお、他の実施形態として、前記第1判定処理部１１４は、前記抽出処理について前記抽出条件として予め設定される抽出対象期間を前記判定期間として用いることも考えられる。この場合、前記第１判定処理部１１４は、前記抽出対象期間内に予め設定された検査項目の検査が実施されているかを判定すると共に、その検査が実施されている場合には、当該検査について検査値が予め設定された範囲内であるか否かを判定する。即ち、前記第１判定処理部１１４は、前記検査期間マスターＤ２を用いることなく判定を行うものであってもよい。また、前記第１判定処理部１１４により実行有無が判定される前記検査項目が、前記患者が服用する薬品に対応付けて予め設定された項目である場合について説明するが、ユーザーが任意に設定する検査項目であってもよい。例えば、前記第１判定処理部１１４により実行有無が判定される前記検査項目は、後述のモニタリング登録領域Ａ２３で選択入力された検査項目であることが考えられる。
【００６０】
前記第２判定処理部１１５は、前記抽出処理で抽出された患者について予め登録された有害事象の内容が予め設定された有害事象条件を満たすか否かを判定する。例えば、前記第２判定処理部１１５は、前記有害事象データＤ１４に基づいて、前記有害事象のグレードが１以上である場合に、前記有害事象条件を満たすと判定し、前記有害事象のグレードが０である場合に、前記有害事象条件を満たさないと判定する。より具体的に、前記第２判定処理部１１５は、前記抽出条件として予め設定される抽出対象期間における前記有害事象のグレードに基づいて前記有害事象条件を満たすか否かを判定する。なお、前記第１判定処理部１１４及び前記第２判定処理部１１５による判定対象期間が個別に設定可能であることも考えられる。また、前記有害事象条件は、前記抽出処理ごとに予め設定可能であってもよい。
【００６１】
前記提示処理部１１６は、前記抽出処理部１１１により抽出された患者の情報が表示される後述の抽出結果画面Ｐ３（図１２参照）に、前記第１判定処理部１１４による判定結果と前記第２判定処理部１１５による判定結果とを提示する。特に、本実施形態において、前記提示処理部１１６は、前記第１判定処理部１１４による判定結果と前記第２判定処理部１１５による判定結果とを同一画面上に表示させる。なお、前記提示処理部１１６が、前記第１判定処理部１１４による判定結果と前記第２判定処理部１１５による判定結果とをスクロール操作に応じて順次表示させることも他の実施形態として考えられる。
【００６２】
［クライアント端末２］
前記クライアント端末２は、制御部２１、記憶部２２、通信Ｉ／Ｆ２３、表示装置２４、操作装置２５、及びドライブ装置２６などを備えるパーソナルコンピューターである。前記クライアント端末２各々は、前記医療情報管理システム１０が使用される医療機関に配置され、薬剤師などのユーザーによって操作される操作端末である。例えば、前記クライアント端末２は、前記医療機関において患者に投与される薬品を調製する薬剤師などによって使用される。なお、前記クライアント端末２は、スマートフォン、タブレット端末、ラップトップコンピューターなどの情報処理装置であってもよい。
【００６３】
前記制御部２１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００６４】
前記記憶部２２は、前記制御部２１によって実行される各種の制御プログラム及び各種のデータが記憶されるハードディスク又はＳＳＤ等の不揮発性の記憶部である。具体的に、前記記憶部２２には、オペレーティングシステム（ＯＳ）及びブラウザソフトなどのアプリケーションプログラムが記憶されるプログラム記憶部２２１が含まれる。前記ブラウザソフトは、前記通信網４を介して前記サーバー１にアクセスすることにより前記表示装置２４に各種の操作画面などを表示させると共に、前記操作装置２５を用いた前記操作画面に対する入力操作を前記サーバー１に伝達するためのアプリケーションソフトウェアである。例えば、前記制御部２１は、前記ブラウザソフトにより表示される操作画面の所定位置に、前記サーバー１に対応するＵＲＬ（Ｕｎｉｖｅｒｓａｌ  Ｒｅｓｏｕｒｃｅ  Ｌｏｃａｔｏｒ）などのアドレス情報が入力された場合に、該アドレス情報に基づいて前記サーバー１にアクセスする。
【００６５】
前記通信Ｉ／Ｆ２３は、前記通信網４を介して前記サーバー１、及び前記プリンター３などの外部機器との間で、予め定められた通信プロトコルに従って無線又は有線でデータ通信を実行するネットワークカード等を有する通信インターフェースである。
【００６６】
前記表示装置２４は、前記制御部２１からの制御指示に従って各種の情報を表示する液晶ディスプレイ又は有機ＥＬディスプレイなどの表示部である。前記操作装置２５は、前記クライアント端末２に各種の情報を入力するためにユーザーによって操作される操作部である。具体的に、前記操作装置２５は、前記表示装置２４に表示される各種の操作画面における入力操作を受け付けるキーボード及びマウス（ポインティングデバイス）を含む。また、前記操作装置２５は、前記表示装置２４に表示される各種の操作画面に対するタッチ操作を受け付けるタッチパネル、又は音声認識により各種情報の入力を受け付ける音声入力装置を含むものであってもよい。
【００６７】
前記ドライブ装置２６は、前記ＯＳ又は前記ブラウザソフトなどが記録されたコンピューター読み取り可能な記録媒体２６１から前記ＯＳ又は前記ブラウザソフトなどを読み取ることが可能である。前記記録媒体２６１は、ＣＤ、ＤＶＤ、ＢＤ、又はＵＳＢメモリなどであり、前記ドライブ装置１６は、ＣＤドライブ、ＤＶＤドライブ、ＢＤドライブ、又はＵＳＢポートなどである。前記クライアント端末２では、前記制御部２１により、前記ドライブ装置２６を用いて前記記録媒体２６１から読み取られた前記ＯＳ又は前記ブラウザソフトなどが前記記憶部２２の前記プログラム記憶部２２１にインストールされる。
【００６８】
そして、前記医療情報管理システム１０では、前記サーバー１が、ユーザーによる前記クライアント端末２の操作に応じて、後述の抽出開始画面Ｐ１及び抽出結果画面Ｐ３などの各種の情報を前記クライアント端末２に表示させる。なお、前記クライアント端末２は、前記サーバー１から送信されるデータに基づいて画面表示を制御し、又は前記サーバー１の記憶部１２に記憶されているデータを参照して画面表示を制御する。また、前記サーバー１は、ユーザーによる前記クライアント端末２に対する操作入力を受付可能である。具体的に、本実施形態では、前記サーバー１及び前記クライアント端末２によりサーバクライアントシステムが構成されており、前記サーバー１が前記クライアント端末２のユーザー操作に応じて表示、記憶、及び印刷などの処理を実行する場合について説明する。そのため、本実施形態において、以下に説明する「表示」、「操作」、「選択」、及び「入力」などの処理は、前記クライアント端末２の前記表示装置２４及び前記操作装置２５を用いて行われるものとして説明する。即ち、前記クライアント端末２は、前記サーバー１の操作装置及び表示装置として機能する。もちろん、「表示」、「操作」、「選択」、及び「入力」などの処理が前記サーバー１の前記表示装置１４及び前記操作装置１５で行われてもよい。
【００６９】
以下、図８を参照しつつ、医療情報管理システム１０で実行される医療情報管理処理の一例について説明する。具体的に、前記サーバー１の制御部１１は、前記クライアント端末２に対して行われる当該医療情報管理処理の開始要求操作に応じて当該医療情報管理処理を開始する。前記開始要求操作は、後述の抽出開始画面Ｐ１を表示させるための表示要求操作の一例である。以下、前記医療情報管理処理における「前記クライアント端末２」の記載は、前記医療情報管理システム１０に接続された前記クライアント端末２のうち前記医療情報管理処理の開始要求操作を行ったクライアント端末２を示すものとする。なお、当該医療情報管理処理は、複数の前記クライアント端末２からの要求に応じて該クライアント端末２ごとに対応して並列して実行されてもよい。
【００７０】
＜ステップＳ１＞
ステップＳ１において、前記制御部１１は、患者を抽出するための抽出処理（スクリーニング）を実行するための抽出開始画面Ｐ１をクライアント端末２に表示させる。ここに、図９及び図１０は、前記抽出開始画面Ｐ１の一例を示す図である。当該ステップＳ１は、前記制御部１１の表示処理部１１３によって実行され、前記抽出開始画面Ｐ１に前記処理時間及び前記操作受付部を表示させる表示ステップの一例である。
【００７１】
図９及び図１０に示されるように、抽出開始画面Ｐ１には、各種の操作を受け付ける操作領域Ａ１１と、前記定期スクリーニングに対応する表示領域Ａ１２又は前記随時スクリーニングに対応する表示領域Ａ１３とが表示される。前記操作領域Ａ１１には、詳細操作部Ｋ１１１〜Ｋ１１４などが表示される。そして、前記制御部１１は、前記クライアント端末２における前記操作部Ｋ１１１〜Ｋ１１４の操作を受け付け可能である。
【００７２】
具体的に、前記制御部１１は、前記操作部Ｋ１１１の操作に応じて、前記表示領域Ａ１２又は前記表示領域Ａ１３で選択中の抽出条件に基づく抽出処理の結果の詳細内容を表示する。また、前記制御部１１は、前記操作部Ｋ１１２の操作に応じて、前記抽出条件をスクリーニングマスターに新規登録するための新規登録処理を開始する。さらに、前記制御部１１は、前記操作部Ｋ１１３の操作に応じて、前記スクリーニングマスターを更新するための編集処理を開始する。なお、前記制御部１１は、前記操作部Ｋ１１４が操作されると、前記抽出開始画面Ｐ１を閉じる。
【００７３】
また、前記表示領域Ａ１２及び前記表示領域Ａ１３には、定期タブＴ１１及び随時タブＴ１２が表示されている。そして、前記制御部１１は、ユーザーによる前記定期タブＴ１１及び前記随時タブＴ１２の選択操作に応じて、前記表示領域Ａ１２又は前記表示領域Ａ１３を切り替えて表示する。具体的に、前記定期タブＴ１１が選択されている場合は、図９に示されるように前記表示領域Ａ１２が表示され、前記随時タブＴ１２が選択されている場合は、図１０に示されるように前記表示領域Ａ１３が表示される。なお、前記制御部１１は、例えば前記抽出開始画面Ｐ１の表示時に前記表示領域Ａ１２を初期表示させ、前記随時タブＴ１２の操作に応じて前記表示領域Ａ１３に表示を切り替えること、又はその逆であることが考えられる。
【００７４】
また、図９に示されるように、前記表示領域Ａ１２には、既に登録されている前記抽出条件の一覧と、当該抽出条件に基づく抽出処理の実行開始を受け付けるための操作部Ｋ１２１（操作受付部の一例）とが表示される。なお、前記操作部Ｋ１２１は、前記抽出条件ごとに対応して個別に表示されている。ここで、前記表示領域Ａ１２において前記抽出条件が登録されていない領域に対応する前期操作部Ｋ１２１はグレーアウト等で表示されてもよい。また、前記表示領域Ａ１２における前記抽出条件の一覧の各データには、項目Ａ１２０〜Ａ１２６の情報が含まれる。
【００７５】
前記項目Ａ１２０には、前記抽出条件各々に基づいて実行される前記抽出処理の結果の詳細内容が既に表示済みであるか否かを識別するための情報が表示される。例えば、前記制御部１１は、前記操作部Ｋ１１１の操作により前記抽出処理の結果の詳細内容が表示されるまでの間は前記項目Ａ１２０に前記詳細内容が表示されていない旨を示す「新」を表示させ、前記詳細内容が表示されると前記項目Ａ１２０に前記詳細内容が表示された旨を示す「済」を表示させる。
【００７６】
前記項目Ａ１２１には、前記抽出条件各々の内容を識別するための識別情報として予め設定されたスクリーニング名称が表示される。前記抽出条件は、前記抽出処理における抽出対象となる患者の医療情報に関する条件であり、例えば患者が服用している薬品の薬品名又は薬品コードなどの薬品識別情報、患者情報（性別、年齢、身長、体重など）、患者の検査結果、患者に発現している有害事象が含まれる。また、前記抽出条件には、薬品の調剤日又は服用日についての抽出対象期間も含まれる。なお、前記抽出条件の設定については後述する。
【００７７】
前記項目Ａ１２２には、前記抽出条件各々に基づく前記抽出処理が前回実行されたときの当該抽出処理の抽出対象期間が表示される。前記定期タブＴ１１が選択された状態において、前記表示領域Ａ１２に表示される前記項目Ａ１２２は操作不能な領域である。そして、前記制御部１１の表示処理部１１３は、前記項目Ａ１２２の内容を、前記抽出開始画面Ｐ１が表示される際に、前記制御部１１によって実行日時と前記抽出対象期間（実行日基準）とに基づいて自動的に更新して表示させる。
【００７８】
また、前記制御部１１は、前記項目Ａ１２３において、前記情報記憶部１２３に記憶されている前記処理時間情報に基づいて、前記抽出条件各々に基づいて前回に実行された当該抽出処理各々の実行日時と、当該抽出処理各々の処理時間とを表示させる。なお、前記処理時間情報には、後述のステップＳ７又は後述のステップＳ２４において前記抽出処理の処理時間が記憶される。これにより、前記表示領域Ａ１２では、前記操作部Ｋ１２１と共に前記処理時間が同一画面上に表示されるため、ユーザーが前記抽出処理の処理時間を一見して把握可能な状態で前記操作部Ｋ１２１を操作して当該抽出処理を実行するか否かを判定することが可能である。
【００７９】
前記項目Ａ１２４では、前記抽出条件に基づく抽出処理を定期的に実行するための開始時期を決定するための情報の入力が可能である。具体的に、前記制御部１１は、前記項目Ａ１２４において、前記抽出条件に基づく抽出処理の実行頻度と、当該抽出処理の開始時刻との入力を受け付ける。例えば、図９に示される前記表示領域Ａ１２では、最上段にスクリーニング名称が「毎日確認するスクリーニング条件」である前記抽出条件が表示されている。そして、当該抽出条件の項目Ａ１２４では、前記抽出処理を毎日１８時に開始する旨が設定されている。なお、同様に、２段目の前記抽出条件の項目Ａ１２４では、前記抽出処理を毎週月曜日１時に開始する旨が設定されている。
【００８０】
前記項目Ａ１２５では、前記抽出処理における前記抽出対象期間を自動的に設定するための情報が実行日を基準として入力可能である。具体的に、前記項目Ａ１２５では、前記抽出処理の開始時期に対して何日前から何日前までの態様で、前記抽出対象期間を設定する際の情報を入力可能である。即ち、前記項目Ａ１２５は、前記抽出対象期間の変更操作を受け付け可能な変更操作部の一例である。例えば、前記項目Ａ１２５において、「０〜０日」が入力されている場合、前記抽出対象期間は前記抽出処理の開始時期当日であり、「−７〜−１日」が入力されている場合、前記抽出対象期間は前記抽出処理の開始時期の７日前から開始時期の前日までであり、「−１〜−１ヶ月」が入力されている場合、前記抽出対象期間は前記抽出処理の開始時期から１ヶ月前までの１ヶ月間である。なお、前記抽出対象期間は日単位又は月単位に限らず、時間単位、週単位、又は年単位などの各種の単位で設定可能であってよい。
【００８１】
前記項目Ａ１２６では、前記抽出対象期間として抽出される期間の基準の種別が選択可能である。例えば、前記項目Ａ１２６では、前記抽出対象期間の基準として、前記処方データに含まれる「調剤日」又は「投与日」（又は「服用日」）が選択可能である。そして、前記抽出処理では、前記項目Ａ１２６で選択された期間の種別の日が前記抽出対象期間に含まれる患者が抽出されることになる。
【００８２】
前記操作部Ｋ１２１は、前記抽出条件各々に基づく抽出処理を開始するための操作に用いられる操作受付部の一例である。具体的に、前記制御部１１は、前記クライアント端末２における前記操作部Ｋ１２１の操作により当該操作部Ｋ１２１に対応する前記抽出条件に基づく前記抽出処理を開始する。なお、前記制御部１１は、前記表示領域Ａ１２に表示されている前記抽出条件に基づく前記抽出処理の結果が表示された場合には、前記操作部Ｋ１２１に「再実行」と表示させる。また、前記制御部１１は、前記抽出処理の結果が表示されていない場合には、前記操作部Ｋ１２１に「実行」と表示させる。なお、前記操作部Ｋ１２１には、「再実行」及び「実行」の区別なく、「実行」と表示されてもよい。また、他の実施形態として、前記項目Ａ１２５又はＡ１２７において抽出対象期間が変更された場合に、前記制御部１１が、前記操作部Ｋ１２１における表示を「再実行」から「実行」に変更することも考えられる。
【００８３】
次に、図１０に示されるように、前記随時タブＴ１２が選択された状態において、前記表示領域Ａ１３には、前記表示領域Ａ１２と同様に、既に登録されている前記抽出条件の一覧と、当該抽出条件に基づく抽出処理の実行開始を受け付けるための前記操作部Ｋ１２１とが表示される。特に、前記表示領域Ａ１３における前記抽出条件の一覧には、前記表示領域Ａ１２と同様の前記項目Ａ１２０、前記項目Ａ１２１、及び前記項目Ａ１２６の他、前記項目Ａ１２２及び前記項目Ａ１２３に代えて項目Ａ１２７及び項目Ａ１２８が表示される。
【００８４】
前記項目Ａ１２７では、前記抽出処理における抽出対象期間が任意に入力可能である。より具体的に、前記制御部１１の表示処理部１１３は、前記項目Ａ１２７に対応する前記抽出条件に基づいて前回実行された前記抽出処理における前記抽出対象期間を当該項目Ａ１２７に初期表示させる。即ち、前記表示処理部１１３は、前記抽出開始画面Ｐ１の表示要求操作を受け付けた場合に、前記抽出処理が実行されるときの前記抽出条件のうち少なくとも予め設定された前記抽出対象期間の項目Ａ１２７が入力された状態で前記抽出開始画面を表示させる。その後、前記制御部１１は、前記項目Ａ１２７のユーザー操作に応じて前記抽出対象期間を任意に変更可能である。即ち、前記項目Ａ１２７は、前記抽出対象期間の変更操作を受け付け可能な変更操作部の一例である。なお、過去に前記抽出処理が実行されていない前記抽出条件に対応する前記項目Ａ１２７については、例えば空白で表示される。
【００８５】
前記項目Ａ１２８において、前記制御部１１の表示処理部１１３は、前記情報記憶部１２３に記憶されている前記処理時間情報に基づいて、前記抽出条件各々について前回に実行された前記抽出処理各々の実行日時と、当該抽出処理各々の処理時間とを表示させる。例えば、図１０に示される前記前記表示領域Ａ１３では、最上段にスクリーニング名称が「○○薬品を使用している入院患者」である前記抽出条件が表示されている。そして、当該抽出条件の項目Ａ１２８では、前回実行された前記抽出処理の抽出対象期間が「７／１（金）〜７／２５（月）」であったこと、前回の実行日時が「７／２６（火）１０：１５」であったこと、及び、前記抽出処理の処理時間が「３２分」であったことが表示されている。これにより、前記表示領域Ａ１３では、ユーザーが、前記抽出処理の処理時間を一見して把握可能な状態で、前記操作部Ｋ１２１を操作して当該抽出処理を実行するか否かを判定することが可能である。
【００８６】
次に、前記スクリーニングマスターの新規登録処理及び編集処理について説明する。前記制御部１１は、前記操作領域Ａ１１の前記操作部Ｋ１１２又は前記操作部Ｋ１１３の操作に応じて、前記スクリーニングマスターを編集するためのマスター編集画面Ｐ２を前記クライアント端末２に表示させる。具体的に、前記操作部Ｋ１１２が操作された場合には、前記抽出条件が空白の状態又は予め定められた初期状態で前記マスター編集画面Ｐ２が表示され、前記操作部Ｋ１１３が操作された場合には、操作時に前記表示領域Ａ１２で選択されている前記抽出条件を再編集するための前記マスター編集画面Ｐ２が表示される。
【００８７】
ここに、図１１は、前記マスター編集画面Ｐ２の一例を示す図である。図１１に示されるように、前記マスター編集画面Ｐ２では、操作領域Ａ２１と、マスター登録領域Ａ２２と、モニタリング登録領域Ａ２３とが表示される。
【００８８】
前記操作領域Ａ２１には、操作部Ｋ２１１〜Ｋ２１４が表示される。前記制御部１１は、前記操作部Ｋ２１１の操作に応じて、前記マスター登録領域Ａ２２に入力されている抽出条件を前記スクリーニングマスターに記憶する登録処理を実行する。また、前記制御部１１は、前記操作部Ｋ２１２の操作に応じて、前記マスター登録領域Ａ２２に表示されている抽出条件を前記スクリーニングマスターから削除する削除処理を実行する。なお、前記制御部１１は、前記操作部Ｋ２１３の操作に応じて、前記マスター編集画面Ｐ２を閉じて前記抽出開始画面Ｐ１を前記クライアント端末２に表示させる。また、前記制御部１１は、前記操作部Ｋ２１４の操作に応じて、前記マスター登録領域Ａ２２に表示されている前記抽出条件に基づく抽出処理を実行する。
【００８９】
前記マスター登録領域Ａ２２には、各種の情報を入力するための領域Ａ２２１〜Ａ２２５が含まれる。前記制御部１１は、前記表示領域Ａ２２１のユーザー操作に応じて、登録対象の抽出条件の種別を前記定期スクリーニング又は前記随時スクリーニングのいずれかに設定する。具体的に、前記表示領域Ａ２２１において、前記抽出条件の種別として前記定期スクリーニングが選択された場合には、当該定期スクリーニングに対応する定期抽出条件が登録可能であり、前記随時スクリーニングが選択された場合には、当該随時スクリーニングに対応する任意抽出条件が登録可能である。図１１に示す前記マスター編集画面Ｐ２では、前記表示領域Ａ２２１において前記随時スクリーニングが選択された状態が示されており、以下では、前記随時スクリーニングに関するマスター登録処理を例に挙げて説明する。
【００９０】
前記制御部１１は、前記表示領域Ａ２２２のユーザー操作に応じて、前記抽出条件を識別可能な識別情報としてスクリーニング名称の入力を受け付け可能である。なお、前記制御部１１は、前記表示領域Ａ２２２のユーザー操作に応じて、既に登録されている前記スクリーニング名称の選択が可能であり、前記スクリーニング名称を選択した場合は、当該スクリーニング名称に対応する抽出条件を前記マスター編集画面Ｐ２に表示させて編集操作を受け付け可能である。
【００９１】
また、前記制御部１１は、前記表示領域Ａ２２３において、前記抽出条件のうち抽出対象の内容に関する条件の入力を受け付け可能である。具体的に、前記表示領域Ａ２２３には、項目Ｋ２２１〜Ｋ２２３が含まれる。前記制御部１１は、前記項目Ｋ２２１において、前記抽出条件における条件種別の選択操作を受け付け可能である。前記条件種別は、薬品、薬品種別、検査値、有害事象、療法、及びモニタリングなどである。さらに、前記制御部１１は、前記項目Ｋ２２２及び前記項目Ｋ２２３において、前記項目Ｋ２２１で選択された前記条件種別に対応する前記抽出条件の内容の入力を受け付ける。特に、前記項目Ｋ２２１では、複数の前記条件種別から一つの前記条件種別のみが選択可能であり、前記項目Ｋ２２２及び前記項目Ｋ２２３では、その選択された一の条件種別の内容のみが入力可能となる。
【００９２】
例えば、前記項目Ｋ２２１において、薬品が前記条件種別として選択された場合、前記項目Ｋ２２２には薬品名が入力され、前記項目Ｋ２２３には、前記薬品名に対応する薬品との関係で前記抽出条件の内容を特定するための情報として例えば「同成分」などの情報が選択される。この場合、前記抽出条件を含む抽出条件に基づく抽出処理では、前記項目Ｋ２２２に入力された薬品名と同成分の薬品を服用する患者が抽出対象となる。
【００９３】
また、前記項目Ｋ２２１において、薬品種別が前記条件種別として選択された場合、前記項目Ｋ２２２には薬品種別が入力される。前記薬品種別は、抗がん剤又はハイリスク薬などである。この場合、前記抽出条件を含む抽出条件に基づく抽出処理では、前記項目Ｋ２２２に入力された薬品種別に属する薬品を服用する患者が抽出対象となる。
【００９４】
また、前記項目Ｋ２２１において、検査値が前記条件種別として選択された場合、前記項目Ｋ２２２には検査項目を識別可能な検査名称が入力され、前記項目Ｋ２２３には、前記検査項目の検査結果の値の範囲を特定するための情報が入力される。この場合、前記抽出条件を含む抽出条件に基づく抽出処理では、前記項目Ｋ２２２に入力された前記検査項目の検査結果が前記項目Ｋ２２３に入力された検査値の範囲に該当する患者が抽出対象となる。
【００９５】
また、前記項目Ｋ２２１において、有害事象が前記条件種別として選択された場合、前記項目Ｋ２２２には有害事象を識別可能な有害事象名称が入力され、前記項目Ｋ２２３には、前記有害事象のグレードの範囲を特定するための情報が入力される。この場合、前記抽出条件を含む抽出条件に基づく抽出処理では、前記項目Ｋ２２２に入力された前記有害事象が前記項目Ｋ２２３に入力された前記グレードの範囲に該当する患者が抽出対象となる。
【００９６】
また、前記項目Ｋ２２１において、療法が前記条件種別として選択された場合、前記項目Ｋ２２２には療法を識別するための療法名が入力される。この場合、前記抽出条件を含む抽出条件に基づく抽出処理では、前記項目Ｋ２２２に入力された療法を実施している患者が抽出対象となる。
【００９７】
また、前記項目Ｋ２２１において、モニタリングが前記条件種別として選択された場合、前記項目Ｋ２２２にはモニタリングの内容を識別するためのモニタリング名称が入力される。前記モニタリング名称は、腎機能モニタリング又は肝機能モニタリングなどである。この場合、前記抽出条件を含む抽出条件に基づく抽出処理では、前記項目Ｋ２２２に入力されたモニタリング名称のモニタリング対象として予め登録されている患者が抽出対象となる。なお、モニタリング対象であるか否かの情報は患者各々の医療情報として前記情報記憶部１２３に記憶される。
【００９８】
前記表示領域Ａ２２４では、前記抽出条件に含まれる抽出対象期間が入力可能である。また、前記制御部１１は、前記表示領域Ａ２２４に前記抽出対象期間が入力されるまでの間は、前記操作部Ｋ２１４の操作を無効化し、前記表示領域Ａ２２４に前記抽出対象期間が入力された場合に、前記操作部Ｋ２１４の操作を有効化する。即ち、前記表示領域Ａ２２４は、前記マスター編集画面Ｐ２が表示された状態で前記抽出処理が実行される場合の前記抽出対象期間を設定するための操作領域である。
【００９９】
前記表示領域Ａ２２５では、前記抽出条件に基づいて実行される前記抽出処理で抽出された患者をモニタリングの対象として自動的に指定するか否かが設定可能である。具体的に、前記表示領域Ａ２２５では、スクリーニングで抽出された全ての患者をモニタリングの対象として設定する「スクリーニング該当患者全て」と、スクリーニングで抽出された患者のうち前記項目Ｋ２３３で設定されたチェック条件を充足する患者のみをモニタリングの対象として設定する「チェック項目該当患者のみ」と、スクリーニングで抽出された患者をモニタリングの対象として設定しない「対象なし」とのいずれかが選択可能である。
【０１００】
ここでは、前記随時スクリーニングに対応する前記任意抽出条件の設定について説明したが、前記マスター編集画面Ｐ２では、前記定期スクリーニングに対応する前記定期抽出条件の設定も可能である。具体的に、前記マスター編集画面Ｐ２の前記表示領域Ａ２２１において前記定期スクリーニングが選択された場合には、前記表示領域Ａ２２１に、前記定期スクリーニングに対応する前記定期抽出条件を入力するための入力画面が表示される。そして、当該入力画面では、前記定期スクリーニングに対応する前記定期抽出条件として、前記スクリーニング名称、前記起動設定、前記抽出対象期間（実行日基準）、及び前記対象日付などの項目（図９参照）が入力可能であることが考えられる。また、前記定期スクリーニングに対応する前記定期抽出条件を入力するための入力画面は、前記随時スクリーニングに対応する前記任意抽出条件を入力するための入力画面と同じであってもよい。
【０１０１】
前記モニタリング登録領域Ａ２３では、モニタリングの内容を設定するための操作領域Ａ２３１が表示される。例えば、前記操作領域Ａ２３１では、モニタリング対象の種別を示すモニタリング項目、モニタリング対象の項目を示すコード、項目名、正常範囲、検査値判定条件の内容などの情報が表示される。また、前記モニタリング登録領域Ａ２３には、予め登録されたモニタリングマスタに含まれる一又は複数のモニタリング名称を選択可能な項目Ｋ２３１が表示される。
【０１０２】
そして、前記制御部１１は、前記項目Ｋ２３１によりモニタリング名称が選択された場合に、当該モニタリング名称に対応するモニタリング内容を前記モニタリングマスタから読み出して領域Ａ２３２に表示させる。また、前記制御部１１は、前記モニタリング登録領域Ａ２３に表示された操作部Ｋ２３５が操作された場合に、前記領域Ａ２３２に表示されているモニタリング内容を前記操作領域Ａ２３１に反映することにより当該モニタリング内容を一挙に入力する。なお、前記モニタリング名称及び前記モニタリング内容は、予め対応付けてモニタリングマスタとして前記マスター記憶部１２２などに記憶され、前記制御部１１は、前記モニタリングマスタをユーザー操作に応じて任意に編集可能である。
【０１０３】
また、前記操作領域Ａ２３１には、モニタリングで適否を判定するための条件が示される項目Ｋ２３１〜Ｋ２３３が表示される。具体的に、前記項目Ｋ２３１では、モニタリング対象の項目の検査値が前記正常範囲の範囲外である場合に検査判定条件を満たしていないと判定する判定機能を有効にするか否かが選択可能である。また、前記項目Ｋ２３２では、モニタリング対象の項目の検査値の適否を判定するための範囲が前記正常範囲とは別で任意に設定可能である。さらに、前記項目Ｋ２３３では、前記モニタリング対象の項目の検査が予め設定された期間に実行されているか否かの定期検査チェックの対象とするか否かが選択可能である。
【０１０４】
＜ステップＳ２＞
ステップＳ２において、前記制御部１１は、前記抽出開始画面Ｐ１で表示されるタブの切替操作の有無を判断する。具体的に、前記制御部１１は、前記定期タブＴ１１及び前記随時タブＴ１２のうち現在選択中のタブとは異なるタブが操作された場合に前記切替操作が行われたと判断する。ここで、前記切替操作が行われたと判断すると処理がステップＳ３に移行し、前記切替操作が行われていないと判断すると処理がステップＳ４に移行する。
【０１０５】
＜ステップＳ３＞
ステップＳ３において、前記制御部１１は、前記抽出開始画面Ｐ１における前記定期タブＴ１１及び前記随時タブＴ１２のうち現在選択中のタブを他方のタブに切り替えて表示するための処理を実行する。具体的に、前記定期タブＴ１１が選択されて前記表示領域Ａ１２が表示された状態で前記随時タブＴ１２が操作されると前記表示領域Ａ１３が表示される。同様に、前記随時タブＴ１２が選択されて前記表示領域Ａ１３が表示された状態で前記定期タブＴ１１が操作されると前記表示領域Ａ１２が表示される。即ち、前記抽出開始画面Ｐ１では、前記定期タブＴ１１及び前記随時タブＴ１２における定期スクリーニングと随時スクリーニングとに関する操作がタブによって切替可能である。
【０１０６】
＜ステップＳ４＞
ステップＳ４において、前記制御部１１は、前記抽出開始操作を待ち受け（Ｓ４：Ｎｏ）、前記抽出開始操作が行われたと判断すると（Ｓ４：Ｙｅｓ）、処理をステップＳ５に移行させる。具体的に、前記制御部１１は、前記抽出開始画面Ｐ１の前記表示領域Ａ１２又は前記表示領域Ａ１３に表示される前記操作部Ｋ１２１が操作された場合に、当該操作部Ｋ１２１に対応する抽出条件に基づく抽出処理について前記抽出開始操作が行われたと判断する。
【０１０７】
＜ステップＳ５＞
ステップＳ５において、前記制御部１１の抽出処理部１１１は、前記抽出開始操作に対応する前記抽出条件に基づく前記抽出処理を実行する。具体的に、前記定期タブＴ１１が選択されて前記表示領域Ａ１２が表示された状態で前記操作部Ｋ１２１が操作された場合、前記制御部１１は、当該操作部Ｋ１２１に対応する前記抽出条件に基づいて前記抽出処理を実行する。同様に、前記随時タブＴ１２が選択されて前記表示領域Ａ１３が表示された状態で前記操作部Ｋ１２１が操作された場合、前記制御部１１は、当該操作部Ｋ１２１に対応する前記抽出条件に基づいて前記抽出処理を実行する。ここに、前記抽出開始操作に応じて任意のタイミングで実行される前記ステップＳ５の抽出処理は第２抽出処理の一例であり、当該ステップＳ５は抽出ステップの一例である。
【０１０８】
また、前記制御部１１の前記第１判定処理部１１４は、前記ステップＳ５において、前記抽出処理で抽出された患者について行われた検査の検査値が予め設定された範囲内であるか否かを判定する。さらに、前記第１判定処理部１１４は、前記抽出処理で抽出された患者について、予め設定された判定期間に予め設定された検査項目の検査が当該患者について実施されているか否かを判定する。具体的に、前記第１判定処理部１１４は、前記検査期間マスターＤ２に基づいて、前記抽出処理で抽出された患者が服用する薬品に対応付けて予め設定された判定期間に当該薬品に対応付けて予め設定された検査項目の検査が当該患者について実施されているか否かを判定する。また、前記制御部１１の前記第２判定処理部１１５は、前記抽出処理で抽出された患者について予め登録された有害事象の内容が予め設定された有害事象条件を満たすか否かを判定する。これにより、前記提示処理部１１６は、後述の抽出結果画面Ｐ３に前記第１判定処理部１１４及び前記第２判定処理部１１５による判定結果を提示可能となる。
【０１０９】
なお、前記第１判定処理部１１４による判定及び前記第２判定処理部１１５による判定は、前記ステップＳ５で実行される場合に限らない。例えば、前記第１判定処理部１１４及び前記第２判定処理部１１５が予め設定された時刻又は間隔で判定処理を実行し、当該判定結果を前記医療情報として前記記憶部１２に記憶させることが考えられる。この場合でも、前記提示処理部１１６は、後述の抽出結果画面Ｐ３に前記第１判定処理部１１４及び前記第２判定処理部１１５による判定結果を提示可能である。
【０１１０】
＜ステップＳ６＞
ステップＳ６において、前記制御部１１は、前記ステップＳ５における前記抽出処理の結果を示す抽出結果画面Ｐ３を前記クライアント端末２に表示させる。なお、前記抽出結果画面Ｐ３を閉じる操作が行われると、当該抽出結果画面Ｐ３が閉じられて前記抽出開始画面Ｐ１が表示され、処理がステップＳ７に移行する。ここに、図１２は、前記抽出処理の結果が表示される抽出結果画面Ｐ３の一例を示す図である。
【０１１１】
図１２に示されるように、前記抽出結果画面Ｐ３には、各種の操作を受け付けるための操作部が表示される操作領域Ａ３１と、前記抽出条件の一部又は全部が表示される条件表示領域Ａ３２と、前記抽出処理の結果が表示される結果表示領域Ａ３３とが表示される。
【０１１２】
具体的に、前記操作領域Ａ３１には、操作部Ｋ３１１及び操作部Ｋ３１２等が表示される。そして、前記制御部１１は、前記操作部Ｋ３１１が操作されると、前記結果表示領域Ａ３３で選択されている結果に対応する患者についての詳細情報を表示する詳細表示画面Ｐ４を前記クライアント端末２に表示させる。なお、図１３は、前記詳細表示画面Ｐ４の一例を示す図である。前記詳細表示画面Ｐ１４には、患者の薬歴又は療法歴が表示される表示領域Ａ４１と、患者の有害事象の内容が表示される表示領域Ａ４２とが表示される。なお、前記制御部１１は、前記操作部Ｋ３１１の操作に限らず、前記クライアント端末２における任意の操作に応じて各患者について前記詳細表示画面Ｐ１４を前記クライアント端末２に表示させることも可能である。また、前記制御部１１は、前記操作部Ｋ３１２が操作されると、前記クライアント端末２に、前記抽出条件を再設定するための再設定画面（不図示）を表示させ、又は前記抽出結果画面Ｐ３が表示される前の前記抽出開始画面Ｐ１を表示させる。なお、前記制御部１１は、前記操作部Ｋ３１２が操作された場合に、前記抽出結果画面Ｐ３に表示されている前記抽出処理の結果を更に絞り込むための条件設定を受け付け、当該条件に基づいて前記抽出処理の結果を絞り込んで表示する絞込処理を実行してよい。
【０１１３】
前記条件表示領域Ａ３２では、前記抽出条件のうち前記抽出条件を識別するためのスクリーニング名称が表示されている。また、前記条件表示領域Ａ３２に前記抽出処理における前記抽出対象期間などが表示されてもよい。なお、前記制御部１１は、前記条件表示領域Ａ３２の操作に応じて、前記抽出処理の抽出結果として抽出された患者のうち経過観察（モニタリング）対象として指定する患者を、「スクリーニング該当患者全て」、「チェック項目該当患者のみ」、又は「対象なし」のいずれかに設定可能である。
【０１１４】
前記結果表示領域Ａ３３では、前記抽出処理における前記抽出対象期間と、前記抽出除処理が実行された日時を示す抽出実施日時と、抽出結果として表示される患者の一覧が表示される。特に、前記抽出実施日時には、前記抽出処理の実行開始時間、実行終了時間、及び処理時間が表示される。
【０１１５】
前記患者の一覧では、前記抽出処理で抽出された患者の情報として患者番号、患者名、性別、病棟、及び診療科などが表示される。また、前記患者の一覧では、患者がモニタリングの対象として設定されているか否かなどの情報も表示される。さらに、前記患者の一覧では、各患者について、検査値判定表示部Ａ３３１及び有害事象判定表示部Ａ３３２が表示されている。
【０１１６】
具体的に、前記提示処理部１１６は、前記抽出結果画面Ｐ３において、前記第１判定処理部１１４による判定結果を前記検査値判定表示部Ａ３３１に提示し、前記第２判定処理部１１５による判定結果を前記有害事象判定表示部Ａ３３２に提示する。
【０１１７】
前記検査値判定表示部Ａ３３１では、前記抽出処理で抽出された患者について行われた検査の検査値が予め設定された範囲内であるか否かの判定結果が識別可能に提示される。例えば、前記検査値が前記範囲内であると判定されている場合には、前記検査値判定表示部Ａ３３１に「○」が表示され、前記検査値が前記範囲内でないと判定されている場合には前記検査値判定表示部Ａ３３１に「×」が表示される。また、前記患者について複数の検査項目のうち少なくとも１つの前記検査値が前記範囲内でない場合にも前記検査値判定表示部Ａ３３１に「×」が表示され、複数の検査項目の全ての前記検査値が前記範囲内である場合には前記検査値判定表示部Ａ３３１に「○」が表示される。
【０１１８】
また、前記検査値判定表示部Ａ３３１では、前記抽出処理で抽出された患者が服用する薬品に対応付けて予め設定された判定期間に当該薬品に対応付けて予め設定された検査項目の検査が当該患者について実施されているか否かの判定結果が識別可能に提示される。例えば、前記検査項目が前記判定期間に行われている場合には、前記検査値判定表示部Ａ３３１の欄が他の領域と同じ色で表示され、前記検査項目が前記判定期間に行われていない場合には、前記検査値判定表示部Ａ３３１の欄が予め設定された赤色、オレンジ色、黄色などの特定色で表示される。これにより、ユーザーは、前記抽出結果画面Ｐ３を参照することで、前記検査値が前記範囲内であるか否かの判定結果に加えて、前記患者が服用する薬品に対応する前記検査項目の検査が前記判定期間に実施されているか否かの判定結果を把握することが可能である。
【０１１９】
また、前記患者について複数の検査項目のうち少なくとも１つの前記検査値が前記範囲内でない場合であって、前記検査項目のうち少なくとも１つの検査項目についての検査が前記判定期間内に実施されていない場合は、前記検査値判定表示部Ａ３３１に「×」が表示されると共に、当該検査値判定表示部Ａ３３１が予め設定された前記特定色で表示されることが考えられる。同様に、複数の検査項目の全ての前記検査値が前記範囲内である場合であって、前記検査項目のうち少なくとも１つの検査項目についての検査が前記判定期間内に実施されていない場合は、前記検査値判定表示部Ａ３３１に「○」が表示されると共に、当該検査値判定表示部Ａ３３１が予め設定された前記特定色で表示されることが考えられる。
【０１２０】
さらに、前記有害事象判定表示部Ａ３３２では、前記抽出処理で抽出された患者について予め登録された有害事象の内容が予め設定された有害事象条件を満たすか否かの判定結果が提示される。前記有害事象には、前記有害事象のうち予め設定された検査項目の検査結果に応じて有害事象の発生の有無が判定可能な他覚症状、及び前記有害事象のうち患者の状態を示す状態に応じて有害事象の発生の有無が判定可能な自覚症状などが含まれる。これにより、ユーザーは、前記抽出結果画面Ｐ３を参照することで、前記検査値判定表示部Ａ３３１に提示される検査に関する判定結果に加えて、前記有害事象の発生の有無についての情報を把握することが可能である。
【０１２１】
＜ステップＳ７＞
ステップＳ７において、前記制御部１１は、前記抽出条件に基づいて実行された前記抽出処理の処理時間を当該抽出条件に対応付けて処理時間情報として前記情報記憶部１２３に記憶させる。具体的に、前記制御部１１は、前記抽出処理が実行される際に、当該抽出処理の実行開始日時と実行終了日時との差分により前記処理時間を算出する。また、前記制御部１１は、前記抽出処理の実行開始から実行終了までの時間を計時することにより前記処理時間を取得してもよい。当該ステップＳ７は、前記制御部１１の記憶処理部１１２によって実行される記憶ステップの一例である。
【０１２２】
＜ステップＳ８＞
ステップＳ８において、前記制御部１１は、前記抽出開始画面Ｐ１において、前記抽出条件の変更操作が行われたか否かを判断する。ここで、前記抽出条件の変更操作が行われたと判断されると、処理がステップＳ９に移行し、前記抽出条件の変更操作が行われたと判断されていなければ、処理がステップＳ１０に移行する。
【０１２３】
＜ステップＳ９＞
ステップＳ９において、前記制御部１１は、前記ステップＳ８で受け付けられた前記抽出条件の変更操作に応じて、前記抽出条件を変更する処理を実行する。具体的に、前記定期タブＴ１１が選択されている状態では、前記表示領域Ａ１２において、前記項目Ａ１２４〜Ａ１２６の内容について変更が可能である。また、前記随時タブＴ１２が選択されている状態では、前記表示領域Ａ１３において、前記項目Ａ１２６〜Ａ１２７について変更が可能である。
【０１２４】
また、前記制御部１１が、前記項目Ａ１２５又は前記項目Ａ１２７において抽出対象期間が変更された場合に、前記抽出対象期間の変更により実際の処理時間が前回の処理時間とは大きく異なるおそれがある旨のメッセージ等をポップアップ表示させることが考えられる。なお、前記制御部１１が、前記項目Ａ１２５又は前記項目Ａ１２７において抽出対象期間が変更され、その変更後の抽出対象期間の長さが前回の抽出対象期間の長さよりも長い場合に、前回の前記抽出処理の実行時における前記処理時間の表示を非表示にすることも他の実施形態として考えられる。また、前記制御部１１は、変更後の抽出対象期間の長さと前回の抽出対象期間の長さとの比率に応じて前記処理時間を増減して前記処理時間として表示させることも考えられる。この場合、前記処理時間は、推定値となるため、例えば、予め設定された赤色、オレンジ色、又は黄色などの色で表示されることも考えられる。
【０１２５】
＜ステップＳ１０＞
ステップＳ１０において、前記制御部１１は、前記抽出条件に関するメンテナンス要求操作が行われたか否かを判断する。具体的に、前記制御部１１は、前記操作部Ｋ１２が操作された場合に前記メンテナンス要求操作が行われたと判断する。ここで、前記メンテナンス要求操作が行われたと判断されると、処理がステップＳ１１に移行し、前記メンテナンス要求操作が行われていないと判断されると、処理がステップＳ１２に移行する。
【０１２６】
＜ステップＳ１１＞
ステップＳ１１において、前記制御部１１は、前記抽出条件を変更するためのマスターメンテナンス処理を実行する。具体的に、前記制御部１１は、前記抽出条件を変更するための前記マスター編集画面Ｐ２を前記クライアント端末２に表示させる。そして、前記制御部１１は、前述したように、前記マスター編集画面Ｐ２におけるユーザー操作に応じて前記スクリーニングマスターを更新する。
【０１２７】
＜ステップＳ１２＞
ステップＳ１２において、前記制御部１１は、前記抽出条件を新たに登録するための新規登録操作が行われたか否かを判断する。具体的に、前記制御部１１は、前記操作部Ｋ１３が操作された場合に前記新規登録操作が行われたと判断する。ここで、前記新規登録操作が行われたと判断されると、処理がステップＳ１３に移行し、前記新規登録操作が行われていないと判断されると、処理がステップＳ１４に移行する。
【０１２８】
＜ステップＳ１３＞
ステップＳ１３において、前記制御部１１は、前記抽出条件を新規に登録するためのマスターメンテナンス処理を実行する。具体的に、前記制御部１１は、前記抽出条件を新規登録するための前記マスター編集画面Ｐ２を前記クライアント端末２に表示させる。そして、前記制御部１１は、前述したように、前記マスター編集画面Ｐ２におけるユーザー操作に応じて前記スクリーニングマスターを登録する。
【０１２９】
＜ステップＳ１４＞
ステップＳ１４において、前記制御部１１は、前記医療情報管理処理の終了操作が行われたか否かを判断する。具体的に、前記制御部１１は、前記抽出開始画面Ｐ１において前記操作部Ｋ１１４が操作された場合に、前記医療情報管理処理の終了操作が行われたと判断する。そして、前記医療情報管理処理の終了操作が行われていなければ（Ｓ１４：Ｎｏ）、処理が前記ステップＳ２に戻される。一方、前記ステップＳ１４において、前記医療情報管理処理の終了操作が行われたと判断されると（Ｓ１４：Ｙｅｓ）、当該医療情報管理処理が終了する。
【０１３０】
続いて、図１４を参照しつつ、前記医療情報管理システム１０で実行される定期抽出処理の一例について説明する。なお、前記定期抽出処理は、前記医療情報管理処理と並行して実行される。また、前記定期抽出処理は、前記医療情報管理処理が実行されていない状況で実行されてもよい。さらに、複数の前記定期抽出条件に対応して複数の前記定期抽出処理が並列して実行されてもよい。
【０１３１】
＜ステップＳ２１＞
ステップＳ２１において、前記制御部１１は、前記定期抽出条件で設定された前記抽出処理の開始時期が到来しているか否かを判断する。ここで、前記抽出処理の開始時期が到来していると判断されると（Ｓ２１：Ｙｅｓ）、処理がステップＳ２２に移行し、前記抽出処理の開始時期が到来していないと判断されると（Ｓ２１：Ｎｏ）、処理がステップＳ２５に移行する。
【０１３２】
＜ステップＳ２２＞
ステップＳ２２において、前記制御部１１の抽出処理部１１１は、前記開始時期が到来したと判断された前記定期抽出条件に基づいて前記抽出処理を実行する。ここに、前記定期抽出条件に基づいて定期的に実行される前記ステップＳ２２の抽出処理は第１抽出処理の一例であり、当該ステップＳ２２は抽出ステップの一例である。
【０１３３】
また、前記ステップＳ５と同様に、前記制御部１１の前記第１判定処理部１１４は、前記ステップＳ２２においても、前記抽出処理で抽出された患者について行われた検査の検査値が予め設定された範囲内であるか否か、及び当該患者が服用する薬品に対応付けて予め設定された判定期間に当該薬品に対応付けて予め設定された検査項目の検査が当該患者について実施されているか否かを判定する。また、前記制御部１１の前記第２判定処理部１１５は、前記抽出処理で抽出された患者について予め登録された有害事象の内容が予め設定された有害事象条件を満たすか否かを判定する。
【０１３４】
＜ステップＳ２３＞
ステップＳ２３において、前記制御部１１は、前記ステップＳ２２における前記抽出処理の結果を前記情報記憶部１２３に蓄積して記憶させる。これにより、前記制御部１１は、ユーザー操作に応じて前記抽出処理の結果を表示又は印刷させることが可能である。
【０１３５】
＜ステップＳ２４＞
ステップＳ２４において、前記制御部１１は、前記ステップＳ２２で実行された前記抽出条件に基づいて実行された前記抽出処理の処理時間を当該抽出条件に対応付けて処理時間情報として前記情報記憶部１２３に記憶させる。当該ステップＳ２４は、前記制御部１１の記憶処理部１１２によって実行される記憶ステップの一例である。
【０１３６】
＜ステップＳ２５＞
ステップＳ２５において、前記制御部１１は、過去に実行された前記抽出処理の結果の表示要求が行われたか否かを判断する。例えば、前記抽出処理の結果の表示要求では、前記定期抽出条件又は前記任意抽出条件が表示対象として予め選択される。なお、前記ステップＳ２５では、前記定期抽出条件に基づく前記抽出処理の結果のみが表示対象として選択可能であってもよい。そして、前記表示要求が行われたと判断されると（Ｓ２５：Ｙｅｓ）、処理がステップＳ２６に移行し、前記表示要求が行われていないと判断されると（Ｓ２５：Ｎｏ）、処理が前記ステップＳ２１に戻される。
【０１３７】
＜ステップＳ２６＞
ステップＳ２６において、前記制御部１１は、前記ステップＳ２５における前記表示要求に対応する前記抽出処理の結果を示す前記抽出結果画面Ｐ３（図１２参照）を前記クライアント端末２に表示させる。なお、前記ステップＳ２５〜Ｓ２６の処理は、前記クライアント端末２ごとに対応して並列して実行されてもよい。即ち、前記制御部１１は、前記クライアント端末２ごとに異なる前記抽出処理の結果を同時に表示させることが可能であってもよい。
【０１３８】
以上説明したように、前記医療情報管理システム１０によれば、前記抽出開始画面Ｐ１において、特定の抽出条件で抽出処理を実行する場合の処理時間の情報がユーザーに提示される。これにより、例えばユーザーは、前記抽出処理に必要な処理時間を把握した上で当該抽出処理の実行要否を判断することが可能となる。
【０１３９】
また、前記医療情報管理システム１０では、前記抽出結果画面Ｐ３において、抽出処理による抽出結果が表示される際に、抽出された患者について当該患者が処方薬品を服用する場合に実施される検査が適切な時期に実行されているか否かの情報と、当該検査の結果についての適否を示す情報とが表示可能である。これにより、例えばユーザーは、前記患者各々について前記検査の結果の適否だけでなく、当該検査が適切な時期に実行されているか否かを容易に把握することが可能である。
【符号の説明】
【０１４０】
１    サーバー
１１  制御部
１２  記憶部
１３  通信Ｉ／Ｆ
１４  表示装置
１５  操作装置
１６  ドライブ装置
２    クライアント端末
２１  制御部
２２  記憶部
２３  通信Ｉ／Ｆ
２４  表示装置
２５  操作装置
２６  ドライブ装置
３    プリンター
４    通信網
５    上位システム
１０  医療情報管理システム
【図１】
2019121050.tif 000003
【図２】
2019121050.tif 000004
【図３】
2019121050.tif 000005
【図４】
2019121050.tif 000006
【図５】
2019121050.tif 000007
【図６】
2019121050.tif 000008
【図７】
2019121050.tif 000009
【図８】
2019121050.tif 000010
【図９】
2019121050.tif 000011
【図１０】
2019121050.tif 000012
【図１１】
2019121050.tif 000013
【図１２】
2019121050.tif 000014
【図１３】
2019121050.tif 000015
【図１４】
2019121050.tif 000016